(57)【要約】【課題】表札板が抜き取られるおそれがなく、しかも、表札板の装着を確実に行える表札を提供する。【解決手段】表札板３を装着する基台本体５の裏面に２本の軸体６，６を間隔を空けて起立状態で設け、この軸体６，６の先端を外壁Ｗに固定する。表札板３には、短手方向の先端が表札板３の下端に接続されて開放端とされた略Ｌ字状のスリット１０を設ける。表札板３の基台２への装着にあたっては、スリット１０の開放端に軸体６，６を１本ずつ通しながら表札板３を基台２に装着し、ストッパ４を用いて表札板３を基台本体５との間に挟持状態で固定する。【選択図】  図７
2017194549.tif 000002
【特許請求の範囲】
【請求項１】
表札板と、前記表札板を装着する基台と、前記表札板を前記基台に固定するストッパとからなる表札であって、
前記基台は、基台本体の裏面に２本の軸体を起立状態で設けてなり、
前記表札板は、前記軸体を挿通可能なスリット幅を有し、長手方向の寸法が前記軸体の配置間隔より長く、かつ、短手方向の先端が前記表札板の下端に接続されて開放端とされた略Ｌ字状のスリットを備えてなり、このスリットが前記表札板を前記基台の所定位置に装着するための位置決め手段を構成し、
前記ストッパは、前記軸体の軸方向に進退可能に構成され、前記表札板を前記基台本体との間に挟持状態で固定可能とされている
ことを特徴とする表札。
【請求項２】
前記軸体は、外周に雄ねじが形成され、
前記ストッパは、前記軸体の雄ねじと螺合する雌ねじを有している
ことを特徴とする請求項１に記載の表札。
【請求項３】
前記表札板は、前記長手方向のスリットの上部に文字が透かして現した表札本体が形成されていることを特徴とする請求項１または２に記載の表札。
【発明の詳細な説明】
【技術分野】
【０００１】
この発明は表札に関し、より詳細には、表札板が基台に着脱自在に装着される表札に関する。
【背景技術】
【０００２】
入居者の姓名や名称などを表記した表札は、一般に、玄関脇や門柱の外壁など建物の比較的に目立つ場所に取り付けられる。
【０００３】
ところで、建売住宅や新築マンションなど、建築業者と販売業者とが異なる建物の場合、建築が完了して建物が販売業者に引き渡された時点では当該建物の入居者が決まっていない場合がある。
【０００４】
このような場合、建物の表札は、入居者が決まってから表札業者が取り付けを行うのが一般的であるが、入居者決定後に表札業者が現地に赴いて表札を取り付けていたのでは、業者による施工の手間がかかり不便であった。
【０００５】
そのため、最近では、建物の建築段階で、玄関脇や門柱の外壁に表札を装着するための基台を予め取り付けておき、入居者決定後に入居者自らが基台に表札を装着する方式が提案されている（特許文献１参照）。
【０００６】
このような着脱式の表札の場合、入居者決定後に表札業者が表札を作製し、作製した表札を入居者に向けて発送するだけで済むため、表札業者による現地施工の手間が省かれる利点がある。
【０００７】
図８は、このような着脱式の表札の一例を示している。図８に示す表札は、表札板ａと基台ｂを主要部として構成される。基台ｂは、図示しない基台本体の裏面に２本の軸体ｃ，ｃを植設してなるもので、この軸体ｃ，ｃの先端部が玄関脇等の外壁に埋め込まれた状態で固定される。
【０００８】
そして、表札板ａの下端縁には、軸体ｃ，ｃの配置に対応する間隔で略矩形の切欠部ｄ，ｄが設けられており、この切欠部ｄ、ｄを軸体ｃ，ｃに嵌め合わせる（矢印参照）ことによって表札板ａの位置決めを行い、この状態で図示しないストッパを用いて表札板ａを基台本体側に押し当てて、表札板ａを基台本体とストッパとによって挟持・固定するようになっている。
【先行技術文献】
【特許文献】
【０００９】
【特許文献１】実用新案登録第３１９７９２８号公報
【発明の概要】
【発明が解決しようとする課題】
【００１０】
しかしながら、表札板ａの下端縁に矩形状の切欠部ｄを設けて表札板ａを装着する構成には、以下のような問題があり、その改善が望まれていた。
【００１１】
すなわち、軸体ｃへの表札板ａの嵌め合わせが上方からの嵌め込みだけであるため、ストッパで表札板ａを挟持していても、いたずらなどによって表札板ａが上方に引っ張られると、表札板ａが抜けてしまう（抜き取られる）おそれがある。
【００１２】
また、切欠部ｄ，ｄは、予め設定された軸体ｃ，ｃの配置間隔に応じた位置に設けられているため、軸体ｃ，ｃが傾くなどして設計した位置からずれていたり（たとえば、図８の二点鎖線で示す軸体ｃの位置参照）、軸体ｃ，ｃが外壁に垂直に取り付けられていないなどの場合、切欠部ｄが軸体６にうまく嵌合せず、表札板ａを基台ｂに装着できない場合があった。
【００１３】
本発明は、このような問題点に鑑みてなされたものであって、その目的とするところは、表札板が抜き取られるおそれがなく、しかも、表札板の装着を確実に行える表札を提供することにある。
【課題を解決するための手段】
【００１４】
上記目的を達成するため、本発明に係る表札は、表札板と、上記表札板を装着する基台と、上記表札板を上記基台に固定するストッパとからなる表札であって、上記基台は、基台本体の裏面に２本の軸体を起立状態で設けてなり、上記表札板は、上記軸体を挿通可能なスリット幅を有し、長手方向の寸法が上記軸体の配置間隔より長く、かつ、短手方向の先端が上記表札板の下端に接続されて開放端とされた略Ｌ字状のスリットを備えてなり、このスリットが上記表札板を上記基台の所定位置に装着するための位置決め手段を構成し、上記ストッパは、上記軸体の軸方向に進退可能に構成され、上記表札板を上記基台本体との間に挟持状態で固定可能とされていることを特徴とする。
【００１５】
そして、本発明に係る表札は、好適な実施態様として、上記軸体は、外周に雄ねじが形成され、上記ストッパは、上記軸体の雄ねじと螺合する雌ねじを有していることを特徴とする。また、他の好適な実施態様として、上記表札板は、上記長手方向のスリットの上部に文字が透かして現した表札本体が形成されていることを特徴とする。
【００１６】
本発明に係る表札では、略Ｌ字状のスリットを有する表札板の基台への取り付けは、次の手順で行われる。
【００１７】
（１）スリットの開放端が基台の一方の軸体の上方に位置するように表札板を配置し、この軸体がスリットの短手方向部分に収容されるように表札板を下方に落し込む。
【００１８】
（２）次に、上記一方の軸体がスリットの長手方向の先端側に配置されるように表札板を斜めにして横に移動させ、スリットの開放端が他方の軸体上方に位置するところで、表札板の傾きを水平に戻して、上記他方の軸体をスリットの短手方向部分に収容する。
これにより、表札板は２本の軸体によって吊持状に支持される。このとき、スリットの長手方向の寸法は、上記軸体の配置間隔より長く設定されているので、この状態で表札板の左右方向の位置決めを行う。また、その際、上記他方の軸体がスリットの短手方向部分からずれるように位置を調節することで、長手方向のスリットの下端面が表札板の引き抜きを防止するように機能する。
【００１９】
（３）このようにして表札板の位置決めが完了すると、最後に、表札板の裏面側からストッパを基台本体側に前進させて、表札板を基台本体との間に挟持状態で固定する。
【発明の効果】
【００２０】
本発明によれば、２本の軸体が起立状態で配置された基台に対して、表札板の位置決め手段が表札板の下端に開口端が形成された略Ｌ字状のスリットで構成されているので、表札板の位置決めにあたり、軸体を１本づつスリット内に収容しながら表札板の位置決めができるので、軸体の位置が多少ずれていたり、軸体が外壁壁面に垂直に取り付けられていない場合でも、表札板を基台に確実に装着することができる。
【００２１】
しかも、位置決め後の表札板は、２本の軸体を長手方向のスリット内に収容した状態となるので、表札板の上方への引き抜き（脱落）が防止される。
【図面の簡単な説明】
【００２２】
【図１】本発明に係る表札の一例を示す正面図である。
【図２】同表札の一例を示す背面図である。
【図３】同表札の一例を示す右側面図である。
【図４】同表札における基台の一例を示しており、図４（ａ）は基台の正面図、図４（ｂ）は同基台の右側面図である。
【図５】同表札の基台の背面図である。
【図６】同表札における表札板の一例を示しており、図６（ａ）は表札板の正面図、図６（ｂ）は同表札板の概略右側面図である。
【図７】同表札の取付手順を示す説明図である。
【図８】従来の表札の取付手順を示す説明図である。
【発明を実施するための形態】
【００２３】
以下、本発明の実施形態を図面に基づいて詳細に説明する。
本発明に係る表札は、表札板３が基台２に着脱自在に装着される着脱式の表札１であって、基台２と、表札板３と、ストッパ４とを主要部として構成されている。
【００２４】
基台２は、表札板３を取り付けるベースとなる部材であって、図４および図５に示すように、基台本体５と、基台本体５の裏面５ｂに起立状態で設けられた２本の軸体６，６とで構成されており、軸体６，６の先端部分が玄関脇や門柱などの外壁Ｗ（図３参照）に埋め込まれるようになっている。
【００２５】
基台本体５は、表札板３の幅寸法Ｌ３（図６参照）よりも長い幅寸法Ｌ１（例えば、３５０ｍｍ）を有する横長形状で、厚さ数ミリ程度（例えば、３ｍｍ）の金属板で構成されている。本実施形態では、この基台本体５は、ステンレス製の板材をレーザー加工によって所定形状に切り抜いて構成されており、基台本体５の下部には波形を模した形状の装飾部７が基台本体５と一体に形成されている。
【００２６】
なお、基台２の機能上、装飾部７は設けなくてもよいが、本発明に係る表札１では、図１に示すように、表札板３を基台２に装着した状態のときに、基台本体５の表面５ａが外側に露出する構造であることから、表札１に装飾的要素を付加するために装飾部７を設けている。したがって、装飾部７の形状は図示例に限らず適宜変更可能であり、たとえば、図７に示すように、草花を模した形状など他の形状の装飾部７を基台本体５と一体に形成することも可能である。
【００２７】
また、特に図示しないが、装飾的要素の点では、たとえば、装飾部７を含めた基台本体５を着色したり、あるいは、基台本体５や装飾部７の表面にクリスタルガラスなどの装飾品を装着したり、彫刻を施すなどの装飾を付加することも可能である。
【００２８】
基台本体５の裏面には、図５に示すように、水平方向（基台本体５の長手方向）に所定間隔Ｌ２（例えば、２００ｍｍ）を空けて２本の軸体６，６が起立して設けられている。本実施形態では、この軸体６，６として、外周に雄ねじが形成された直径４ｍｍ程度の軸が用いられており、この軸体６，６の先端部分が外壁Ｗ内に埋め込まれることによって基台本体５を外壁Ｗに固定する役割と、表札板３を基台２に装着する際に表札板３を支持する役割とを有するようになっている。
【００２９】
このように構成される基台２の外壁Ｗへの取り付けは、軸体６，６の位置（配置間隔Ｌ２）に合わせて外壁Ｗに軸体挿通用の穴を設けておき、この穴に軸体６，６の先端部分を挿入し、周囲を接着剤で固定するなどの方法によって行われる。なお、基台２の取り付けは、建物の建築業者において施工する。すなわち、基台２の外壁Ｗへの取り付けは、建築業者から販売業者に建物の引き渡しを行う前など入居者が決定する前にあらかじめ建築業者等によって行われるようになっている。
【００３０】
表札板３は、入居者の姓名や名称などを表示する金属製の部材であって、表札本体８と、表札板３を基台２に装着する際に用いる装着部９とで構成されている（図６参照）。本実施形態では、この表札板３には、基台２と同様に、厚さ３ｍｍ程度のステンレス製の板材が用いられる。そして、このステンレス製の板材をレーザー加工によって所定形状に切り抜いて、表札板３の上部が表札本体８を構成するとともに、表札板３の下部が装着部９を構成するようにしている。すなわち、本実施形態に示す表札板３は、表札本体８と装着部８とが一体に形成されている。
【００３１】
表札本体８は、入居者の姓名や名称などを表示する部位であって、本実施形態では、「Ｓａｋａｋｉｂａｒａ」の文字を透かして現わしている。なお、この表札本体８で表示する文字は、入居者の姓名や名称に応じて適宜変更されるものであり、図に示した文字列に限定されないことは勿論のこと、文字以外の記号や図形（たとえば、花の図形など）と組み合わせることも可能である。
【００３２】
また、本実施形態では、文字を透かし文字で現わした場合を示したが、表札本体８をプレートで構成し、このプレートの表面に塗装や彫刻などの手法を用いて姓名や名称を表示することも可能である。さらには、表札本体８や文字部分に着色を施すことも可能である。
【００３３】
装着部９は、表札板３を基台２の軸体６，６と係合させる際に用いる部位であって、軸体６，６を挿通可能なスリット幅Ｌ４を有するスリット１０を備えている。このスリット１０は、図６に示すように、略Ｌ字状のスリットで構成されており、スリットの短手方向の先端が表札板３の下端に接続されて開放端とされるとともに、短手方向のスリットに直交して設けられた長手方向のスリットが表札板３の下端縁に沿って水平方向に設けられている。
【００３４】
なお、本実施形態では、スリット１０の開放端を表札板３の正面から見て左側（図６において「Ｓ」の文字が現された側）に設けた場合を示したが、表札板３の正面から見て右側（図６において「ａ」の文字が現された側）に開放端を設けるように構成してもよい。なお、以後の説明における「左側」、「右側」は、基台２および表札板３を正面から見た場合における左右を示すものとする。
【００３５】
長手方向のスリット１０は、図２に示すように、軸体６，６の配置間隔Ｌ２よりも長く（たとえば、軸体６，６の配置間隔Ｌ２よりも１ｃｍ程度長く）なるように設定されている。この長手方向のスリット１０は、表札板３を基台２に装着する際に、表札板３の位置を決める位置決め手段として機能するようになっている。具体的には、図２に示すように、長手方向のスリット１０の先端（短手方向のスリットと反対側の端部）に軸体６が当接するまで表札板３をスライドさせたときに、表札板３が所定の位置（表札本体８が基台２の中央となる位置）に配置されるように、スリット１０の長手方向の寸法が設定されている（位置決めの詳細は後述する）。
【００３６】
ストッパ４は、上記表札板３を基台２に固定するための部材であって、軸体６の軸方向に進退可能に構成されている。本実施形態では、このストッパ４は、軸体６の雄ねじと螺合する雌ねじが形成されたナットで構成されており、このナットを基台本体５側に前進させることによって、表札板３を基台本体５との間に挟持状態で固定するようになっている。なお、本実施形態では、このストッパ４として、各軸体６にそれぞれ２個のナットを配したいわゆるダブルナット方式を用いている。これは、ストッパ４の緩みを防止するためである。
【００３７】
次に、このように構成された表札１の取付方法について、図７に基づいて説明する。
【００３８】
（１）表札板３を基台２に取り付けるにあたっては、はじめに、軸体６，６に螺合されたストッパ４を外壁Ｗ側に後退させて、基台本体５とストッパ４との間に表札板３を装着するためのスペースを確保する。
【００３９】
（２）ストッパ４を後退させて表札板３を装着するスペースが確保されると、次に、図７（ａ）に示すように、基台２の右側の軸体６に、表札板３のスリット１０の開放端を合わせる。ここで、右側の軸体６にスリット１０の開放端を合わせるのは、スリット１０の開放端が表札板３の左側に形成され、長手方向のスリットが開放端の右側に形成されているからである。したがって、スリット１０の開放端が表札板３の右側に形成されている場合には、基台２の左側の軸体６にスリット１０の開放端を合わせることになる。
【００４０】
（３）スリット１０の開放端の位置合わせが完了すると、次に、図７（ｂ）に示すように、軸体６がスリット１０内に収容されるように表札板３を軸体６に引掛ける。具体的には、軸体６がスリット１０の短手方向の基端部（開放端とは反対側の端部）に収容されるように、表札板３を軸体６側に落とし込む。
【００４１】
（４）軸体６をスリット１０の短手方向の基端部に収容すると、次に、図７（ｃ）に示すように、軸体６がスリット１０の長手方向の先端側に位置するように、表札板３を傾けて左側にスライドさせる（図７（ｂ）、（ｃ）の矢符Ａ参照）。
【００４２】
（５）そして、スリット１０の開放端が左側の軸体６の上方に位置すると、次に、図７（ｄ）に示すように、傾けた表札板３を水平方向に戻し、スリット１０の開放端を左側の軸体６に引掛ける（図７（ｄ）矢符Ｂ参照）。すなわち、左側の軸体６がスリット１０の短手方向の基端部に収容されるように、表札板３を軸体６側に落とし込む
【００４３】
（６）左側の軸体６をスリット１０の短手方向の基端部に収容すると、次に、図７（ｅ）に示すように、表札板３の位置を左側にスライドさせる。このスライドは、右側の軸体６にスリット１０の長手方向の先端が当接するまで行う。これにより、表札板３が基台２の所定の位置に配置されることになる。本実施形態では、長手方向のスリット１０が軸体６，６の配置間隔Ｌ２よりも１ｃｍ程度長く設定されているので、表札板３を左側にスライドさせると、右側の軸体６は、図２に示すように、長手方向のスリット１０内に収容され、表札板３を上方に引き抜こうとしても引き抜けない位置に配置される。
【００４４】
（７）そして最後に、後退させていたストッパ４を基台本体５側に前進させて表札板３を基台本体５とストッパ４とで挟み込み、ストッパ４を締めこむことで、表札板３が基台本体５とストッパ４の間に挟持状態で固定される。
【００４５】
このように、本発明の表札１によれば、表札板３の基台２への取り付けは、基台２に設けられた軸体６，６を１本ずつ表札板３のスリット１０に収容することによって行われるので、軸体６，６の位置が多少ずれていたり、軸体６，６が外壁Ｗに垂直に取り付けられていなくても表札板３を基台２に装着することができる。しかも、表札板３の取り付けは、簡単な作業（図７に示す表札板３の操作とストッパ４の締め付け）で行えるので、専門の業者によらずに入居者が取り付けを行うことができる。
【００４６】
また、基台２に装着された表札板３は、水平方向のスリット１０の下端面が表札板３の引き抜きを防止するように機能するので、いたずらなどで表札板３が引き抜かれることを確実に防止することができる。
【００４７】
なお、上述した実施形態はあくまでも本発明の好適な実施態様を示すものであって、本発明はこれらに限定されることなくその範囲内で種々の設計変更が可能である。
【００４８】
たとえば、上述した実施形態では、表札板３は、ステンレス製の板材をレーザー加工で形成した場合を示したが、ステンレス以外の金属で構成したり、あるいは、レーザー加工以外の加工法によって形成することもできる。また、上述した実施形態では、表札本体８と装着部９とを一体に形成した場合を示したが、表札本体８と装着部８とを別体に構成し、両者を接続して一つの表札板３として用いることも可能である。
【００４９】
また、上述した実施形態ではストッパ４として、ダブルナット方式を採用した場合を示したが、シングルナットで構成してもよい。また、ストッパ４は、軸体６の軸方向に進退可能な構成を有し、表札板３を挟持可能なものであれば、ナット以外の態様のものを用いることも可能である。
【符号の説明】
【００５０】
１                表札
２                基台
３                表札板
４                ストッパ
５                基台本体
６                軸体
７                装飾部
８                表札本体
９                装着部
１０              スリット
Ｌ１              基台本体の幅寸法
Ｌ２              軸体の配置間隔
Ｌ３              表札板の幅寸法
Ｌ４              スリット幅
Ｗ                外壁
【図１】
2017194549.tif 000003
【図２】
2017194549.tif 000004
【図３】
2017194549.tif 000005
【図４】
2017194549.tif 000006
【図５】
2017194549.tif 000007
【図６】
2017194549.tif 000008
【図７】
2017194549.tif 000009
【図８】
2017194549.tif 000010